(57)【特許請求の範囲】
【請求項１】
コンクリート打設用の型枠の少なくとも一部分を化粧壁体により構成し、この型枠の内部にコンクリートを打設するコンクリート構造物の構築方法において、
コンクリート構造物の構築現場に、少なくとも上端に雄ネジ部が形成された縦筋部材を複数並べて立設し、木材長手方向と直交する方向の貫通孔が形成された複数本の木材を、その貫通孔に前記縦筋部材を挿通する状態で上下に積み重ねるとともに、これらの木材の相互間及び／又は積み重ねられた木材の上方に、前記縦筋部材と係合し木材裏面側に突出する支持具を適宜に配設し、さらに、各縦筋部材上端の雄ネジ部にナットを螺合することにより積み重ねられた木材を下向きに押圧して化粧壁体となし、この化粧壁体を前記支持具に連結された鉄筋等の支持部材により裏面側から支持した状態で、化粧壁体を含んでなる型枠の内部にコンクリートを打設し、コンクリート硬化後も前記化粧壁体をコンクリート表面に残置することを特徴とするコンクリート構造物の構築方法。
【請求項２】
化粧壁体を形成するための木材の一部を、貫通孔の位置を揃えて上下に積み重ねた状態に保持された適宜本数の木材からなる木材パネルとして用いる請求項１に記載のコンクリート構造物の構築方法。
【発明の詳細な説明】
【０００１】
【発明の属する技術分野】
本発明は、コンクリート表面の少なくとも一部分が複数本の木材からなる化粧壁体で覆われた、擁壁やダム堤体等のコンクリート構造物を構築する方法に関するものである。
【０００２】
【従来の技術】
従来、この種のコンクリート構造物の構築方法としては、特許第２８７７１８７号公報に記載された化粧型枠パネルを用いる方法がある。
【０００３】
前記公報に記載の化粧型枠パネルは、図１５に示すように、複数本の木材を上下に積み重ねて長方形状に形成されたパネル本体１０１の裏面に、側面視略コ字状の連結金具１０２，１０３を設けてなる。パネル本体１０１の両端近傍には、積み重ねられた複数本の木材を上下方向に貫通するボルト１０４が設けられており、このボルト１０４は、その上端部と下端部とをそれぞれ連結金具１０２に支持されている。また、連結金具１０２，１０３はそれぞれ、パネル相互の連結に用いるボルトを挿通するための孔１０５を有している。なお、符号１０６は、ボルト１０４の頭部（又はナット）がパネル本体１０１から突出しないようにするための座掘り部を示しており、この座掘り部１０６は、パネル本体１０１の上端と下端とに位置する木材の両端部にそれぞれ設けられている。
【０００４】
この化粧型枠パネルは、連結金具１０２，１０３及び連結用のボルト・ナット（不図示）を用いて、複数が上下左右に連結され、コンクリート打設用の型枠を構成するとともに、打設されたコンクリートの硬化後も残置されて、コンクリート構造物表面を覆う化粧壁体を構成する。そして、これによりダム堤体や擁壁等のコンクリート構造物に有りがちな人工感を払拭し、その外観を周囲の自然景観に調和したものとするものである。
【０００５】
【発明が解決しようとする課題】
しかしながら、前記従来の化粧型枠パネルを用いたコンクリート構造物の構築方法には、以下のような問題点があった。
すなわち、ダム堤体のようなコンクリート構造物は、その側端部や上端部が傾斜した形状に構築される場合が多いのに対し、前記化粧型枠パネルは予め工場で所定寸法の長方形状に製作されているので、前記傾斜に合わせた現場での加工が困難であった。具体的に説明すると、例えば上端部が傾斜したダム堤体を構築する場合、その上端部に対応する部分では、いったん化粧型枠パネルから連結金具１０２，１０３を取り外して各木材の単位に分解し、この木材をダム堤体上端部の傾斜に合わせて斜めに切断（カット）した後、既に設置されている下方の化粧型枠パネルの上部に連結・固定するという作業が必要であった。また、その際、一定の高さを有している連結金具１０２，１０３を用いることができず、別途用意したボルト等を用いて木材を固定しなければならない場合もあった。こうしたことから、従来の化粧型枠パネルを用いた構築方法では、現場での施工性（作業性）が良いとは言えなかった。
【０００６】
また、前記化粧型枠パネルは、各木材が上下に貫通するボルト１０４で保持されているために、コンクリート構造物が完成した後、比較的長期間にわたって木材のコンクリート表面からの脱落を防止できるという利点を有しているものの、コンクリートと木材との耐久性の差から、最終的には全ての木材が脱落してしまった状態となることは避けられない。そうした場合、前記化粧型枠パネルでは、コンクリート構造物の表面に連結金具１０２，１０３が露出することになるが、これらの連結金具１０２，１０３はコンクリート構造物表面積のかなりの部分を占める大きさを有しているために、木材脱落後はコンクリート構造物の外観が悪くなるという問題もあった。
【０００７】
さらに、木材に座掘り部１０６を形成する加工が容易ではないために、加工コストが嵩むという欠点や、座掘り部１０６により木材に断面欠損が生じているうえに、この座掘り部１０６に雨水等が溜まるため、木材の腐朽による強度低下が生じやすいという欠点もあった。
【０００８】
本発明は従来技術が有していた以上のような問題点に鑑みてなされたものであって、施工性が良好で、しかも木材脱落後もコンクリート構造物の外観が悪くなることがない、コンクリート構造物の構築方法の提供を目的とするものである。
【０００９】
【課題を解決するための手段】
前記目的を達成するため、本発明は、コンクリート打設用の型枠の少なくとも一部分を化粧壁体により構成し、この型枠の内部にコンクリートを打設するコンクリート構造物の構築方法において、コンクリート構造物の構築現場に、少なくとも上端に雄ネジ部が形成された縦筋部材を複数並べて立設し、木材長手方向と直交する方向の貫通孔が形成された複数本の木材を、その貫通孔に前記縦筋部材を挿通する状態で上下に積み重ねるとともに、これらの木材の相互間及び／又は積み重ねられた木材の上方に、前記縦筋部材と係合し木材裏面側に突出する支持具を適宜に配設し、さらに、各縦筋部材上端の雄ネジ部にナットを螺合することにより積み重ねられた木材を下向きに押圧して化粧壁体となし、この化粧壁体を前記支持具に連結された鉄筋等の支持部材により裏面側から支持した状態で、化粧壁体を含んでなる型枠の内部にコンクリートを打設し、コンクリート硬化後も前記化粧壁体をコンクリート表面に残置することを特徴としている。
【００１０】
また、前記の構築方法において、化粧壁体を形成するための木材の一部を、貫通孔の位置を揃えて上下に積み重ねた状態に保持された適宜本数の木材からなる木材パネルとして用いることを特徴としている。
【００１１】
【発明の実施の形態】
以下、本発明の一実施形態を図面に基づいて説明する。
図１〜図４において、符号１は本発明に係る構築方法により構築された砂防ダムのダム堤体（コンクリート構造物の一例）を示している。
【００１２】
図１，図３等からわかるように、このダム堤体１は、その一方の面（以下「前面」という）の大部分が、多数の木材１０からなる化粧壁体２で覆われており、他方の面（以下「背面」という）及び上面は打設されて硬化したコンクリート３が露出した構成となっている。また、図１及び図２に示すように、ダム堤体１の中央上部には、増水時等に水路となる逆台形状の切欠部４が形成されていて、その両端部分は約４５°の角度で傾斜した第１傾斜部５となっており、さらに、その外側は緩やかに傾斜した第２傾斜部６となっている。
【００１３】
図１，図２において、符号７は、ダム堤体１が設けられた河川両岸の斜面を示している。ダム堤体１の上面よりも下方の部分においては、斜面７はダム堤体１の構築後に、ダム堤体１左右両端の一部を覆うように盛り土した土砂により構成されている。
【００１４】
次いで、前記ダム堤体１の構築に用いる部材を、図５〜図９を参照しつつ説明する。
図５は、前記化粧壁体２を構成している木材１０を示しており、図５（ａ）は平面図、同図（ｂ）は正面図、同図（ｃ）は右側面図である。
この実施形態では、木材１０は杉材等の間伐材を原木として製材されたものであって、化粧壁体２を形成する際に外側に向けられる面（以下「表面１１」という）だけは原木外周面の丸みを生かした断面円弧状の曲面（タイコ面）に形成され、それ以外の面は、化粧壁体２を構成した状態でコンクリート３と接する裏面１２を含めて、全て平面状に製材されている。また、木材１０には、木材長手方向と直交する方向（上下方向）の貫通孔１３が形成されている。
貫通孔１３は木材１０の両端近傍部及び中央部の３箇所の所定位置に形成されていて、各貫通孔１３は、一端が木材１０の上面に他端が木材１０の下面に、それぞれ開口している。
【００１５】
図６は、木材１０を間伐材等の原木から製材する際の木取りを示しており、図中の二点鎖線は原木の外周面を示している。この図からわかるように、比較的直径の小さい原木から木取りする図６（ａ）の場合も、比較的直径の大きい原木から木取りする図６（ｂ）の場合も、木材１０の高さＨ１及び裏面１２から各貫通孔１３の中心までの距離ａは一定とし、貫通孔１３中心から表面１１の前端部までの距離ｂのみ原木直径に応じて変化するようにする。こうすることにより、直径が異なる原木も無駄なく利用でき、且つ、化粧壁体２の外観を凹凸のある変化に富んだものとすることができる。
【００１６】
なお、この実施形態では、各木材１０は原則として、その長さＬ（図５参照）が１８００mmに、高さＨ１が７５mmに、前記距離ａが４２mmに、貫通孔１３の直径が１２mmに、それぞれ形成されている。また、各木材１０の幅Ｗは前記距離ｂによって異なるが、概ね７０〜１１０mm程度の範囲内となっている。
【００１７】
図７は、３本の前記木材１０を横に寝かせた状態で上下に積み重ねて形成された木材パネル２０を示しており、図７（ａ）は正面図、同図（ｂ）は右側面図、同図（ｃ）は同図（ａ）のＣ−Ｃ線断面図である。
これらの図からわかるように、各木材１０は、互いの両端面と裏面１２とを揃えた状態で積み重ねられ、左右２箇所を紐状の結束部材２１で結束することにより、その積み重ね状態を保持されて、木材パネル２０を形成している。よって、木材パネル２０を構成する各木材１０の各貫通孔１３は位置が揃っている。
この実施形態では結束部材２１として、ダンボール箱の梱包をする用途等に一般的に用いられているポリプロピレン製の扁平な紐（いわゆるＰＰ紐）が用いられている。木材パネル２０の長さは各木材１０と同じく１８００mmであり、高さＨ２は約２２５mmである。
【００１８】
図８は、別の木材パネル２０ａを示している。この木材パネル２０ａは、後述する縦筋部材接続用のナット４７を収容できるように、最も下方に位置する木材１０のみ、貫通孔１３の直径が他の２本の木材１０に比べて大きくなっている。この点以外は、結束部材２１による結束状態を含め、全て前記木材パネル２０と同様に構成されている。
製材された多数の木材１０は、その一部が予め工場で前記木材パネル２０及び２０ａに形成された状態で、残部は１本ずつ独立した木材１０の状態で、それぞれダム構築現場まで運搬される。
【００１９】
図９(ａ)，(ｂ)，(ｃ)は、化粧壁体２を支持するための支持具３０ａ，３０ｂ，３０ｃをそれぞれ示している。この実施形態では、これらの支持具３０ａ，３０ｂ，３０ｃは全て、厚さ２mmのステンレス鋼板を打ち抜いて形成されている。
支持具３０ａは長方形状をなし、その両端近傍に孔３１が形成されている。
支持具３０ｂは野球のホームベースの一部を切り欠いたような六角形状をなしており、その最も長い辺の両端近傍には孔３２が、前記最も長い辺と対向する辺の近傍には孔３３が、それぞれ形成されている。一対の孔３２，３２の間隔（ピッチ）は、図５（ａ）に示した木材１０の両端から貫通孔１３中心までの距離ｃの約２倍の寸法となっている。
支持具３０ｃは、前記支持具３０ａよりも長い長方形状をなし、その一端側には孔３４が、中間部には孔３５が、他端側には孔３６が、それぞれ形成されている。孔３４と孔３５との間隔（ピッチ）は、前記支持具３０ａにおける一対の孔３１，３１の間隔（ピッチ）と等しくなっている。
なお、前記全ての孔３１〜３６は、直径１２mmの円形に打ち抜き形成されている。
【００２０】
次いで、以上のような部材を用いたダム堤体１の構築方法を、主に図１０〜図１４を参照しつつ説明する。なお、図１０〜図１４には、ダム堤体１の構築方法を、その工程順に、図２のＡ−Ａ線に沿う縦断面で示している。
【００２１】
先ず、ダム堤体１を構築すべき地盤（不図示）上に基礎（不図示）を形成し、その上に１段目のコンクリート３ａを打設する。この１段目のコンクリート３ａの打設は、従来の鋼製等の型枠パネルを用いた一般的な工法により行うため、詳細な説明は省略する。
【００２２】
打設したコンクリート３ａが硬化する前に、図１０のように、鋼製のＪ字状の差し筋アンカー４１を適宜に埋め込んでおく。そして、このコンクリート３ａ上面の前端近傍位置にアンカーボルト４２を埋設し、このアンカーボルト４２を用いて前記支持具３０ｃを固定する。ここでは、支持具３０ｃの一端側の孔３４にアンカーボルト４２上端部を挿通してナット４３を螺合することにより、孔３６を含む支持具３０ｃの他端部がコンクリート３ａ上面の前端から前へ突出した状態に固定する。
【００２３】
支持具３０ｃは、複数が、化粧壁体２の配設方向（図１０を示す紙面に垂直な方向）に並べて、前記と同様にアンカーボルト４２によって固定される。ここでの各支持具３０ｃの固定位置は、次の工程において縦筋部材４５を立設すべき位置（すなわち化粧壁体２を構成する各木材１０の各貫通孔１３に対応した位置）に合わせておく（図２参照）。
【００２４】
次いで、各支持具３０ｃの孔３６に縦筋部材４５を挿通し、この縦筋部材４５を図１１のようにジャッキ等のサポート具４４で下方から支持して立設する。縦筋部材４５は、所定の長さを有する直径１２mm弱の断面円形の棒鋼（丸鋼）からなり、その両端にはそれぞれ雄ネジ部４６が形成されている。縦筋部材４５の下側となる雄ネジ部４６には、抜け止め用のナット４３を予め螺合しておく。
【００２５】
以上のようにして各支持具３０ｃごとに縦筋部材４５を立設し、複数の縦筋部材４５が化粧壁体２の配設方向に並ぶ所定位置に立設された状態となれば、次いで、その表面１１が化粧壁体２の外側を向き、各貫通孔１３に各縦筋部材４５が挿通される状態で、複数本の木材１０を上下に積み重ねてゆく。ここでは、化粧壁体２の側端部や上端部等の、木材１０を切断する必要がある箇所を除き、木材１０は前記木材パネル２０に形成された状態で、縦筋部材４５に上端側から順次差し嵌め、縦筋部材４５の下端側に移動させて、下位となる木材パネル２０から順に積み上げてゆく。そして、各貫通孔１３を貫通する縦筋部材４５により各木材１０が串刺し状に支持された状態とした後、各木材パネル２０の木材１０を結束していた結束部材２１を木材裏面側から切断し、除去する。図１１は、前記結束部材２１を除去した後の状態を示している。
【００２６】
また、前記で木材１０（木材パネル２０）を積み重ねる際、木材１０相互間に介装される状態となるように、前記支持具３０ａ，３０ｂ（図９参照）を縦筋部材４５に嵌装しておく。
すなわち、各木材１０の中央部の貫通孔１３に挿通される縦筋部材４５には、図１１に示すように支持具３０ａを、その一端側の孔３１に縦筋部材４５が挿通され、支持具３０ａの他端側が木材１０の裏面１２側に突出する状態に設ける。また、積み重ねられた状態で上端に位置する木材１０の上方にも、支持具３０ａを前記と同様に縦筋部材４５に嵌装して設ける。
【００２７】
他方、各木材１０の両端部の貫通孔１３に挿通される縦筋部材４５には、前記支持具３０ａに代えて支持具３０ｂを嵌装しておく。支持具３０ｂは、対をなす孔３２，３２に隣接する縦筋部材４５がそれぞれ挿通され（図４参照）、孔３３を含む端部が木材１０の裏面１２側に突出する状態に設ける。また、積み重ねられた状態で上端に位置する木材１０の上方にも、支持具３０ｂを前記と同様に縦筋部材４５に嵌装して設ける。これにより、隣接する１対の縦筋部材４５が支持具３０ｂを介して連結された状態となる。
【００２８】
なお、前記支持具３０ａ，３０ｂは、積み重ねられた木材１０の１本ごとに設ける必要はなく、要求される支持強度に応じ、木材１０の適宜本数おきに、上下方向に適宜間隔をおいて配設すればよいことは言うまでもない。
【００２９】
次いで、以上のように木材１０及び支持具３０ａ，３０ｂを嵌装した各縦筋部材４５の上側の雄ネジ部４６に、図１２のようにナット４７を螺合する。このナット４７は、軸方向の寸法（高さ）が直径方向の寸法よりも大きい六角柱状をなす、いわゆる六角高ナットであり、この実施形態では高さ７０mmのものが使用されている。
【００３０】
このナット４７を締め付けることにより、積み重ねられた木材１０群が下向き（上下方向）に押圧され、その力により上下に隣接する木材１０が相互に密着させられる。縦筋部材４５の中間部で支持具３０ａ，３０ｂが介装されている箇所においても、これらの支持具は厚みが２mmと薄いために、押圧力による木材１０への食い込みにより、支持具の上下の木材１０がほぼ密着した状態となる。したがって、図１２のように積み重ねられた木材１０群が相互に密着・一体化して、化粧壁体２（下半部）が形成される。
なお、ナット４７を締め付けた状態では、縦筋部材４５の雄ネジ部４６がナット４７内のネジ穴のほぼ下半部分と螺合し、ナット４７内のネジ穴の上半部分には別の縦筋部材４５の雄ネジ部４６を螺入可能な状態となっている。
【００３１】
また、図１２のように、化粧壁体２の裏面側（後の工程で打設されるコンクリートと接する側）に突出した支持具３０ａと、コンクリート３ａに埋設された差し筋アンカー４１とを、支持部材４８により接続する。
すなわち、支持部材４８は適宜な直径の鉄筋からなり、その一端側には建築用の羽子板金物（ボルト挿通用の孔が形成された板状の金具）４９が設けられている。この羽子板金物４９と支持具３０ａとを、互いの孔が合致するように重ねた状態で、ボルト及びナット５０により連結するとともに、支持部材４８の下端部と差し筋アンカー４１の上端部とを溶接により連結する。
また、この支持具３０ａの場合と同様に、化粧壁体２の裏面側に突出した支持具３０ｂと差し筋アンカー４１との間も、羽子板金物４９付きの支持部材４８を介して接続する（図４参照）。
以上により、化粧壁体２は、その裏面側から複数の支持部材４８によって支持された状態となる。
【００３２】
他方、ダム堤体１の背面及び両側面に対応する部分には、従来一般的に用いられている鋼製等の型枠パネル（不図示）を立設し、これにより前記化粧壁体２で一部分が構成されたコンクリート打設用の型枠を形成する。そして、この型枠の内側に、２段目のコンクリート３ｂを、図１２に二点鎖線で示した程度の高さまで打設する。また、このコンクリート３ｂが硬化する前に、前記と同様の差し筋アンカー４１を適宜に埋め込んでおく（図１３参照）。
【００３３】
前記したように、化粧壁体２を構成する各木材１０は上下に貫通する縦筋部材４５で補強されるとともに、縦筋部材４５上端に螺合したナット４７を締め付けることにより、各木材１０は下向きに押圧されて相互に密着した状態となっており、しかも、この化粧壁体２は支持部材４８により裏面側から支持されているために、コンクリートの打設圧で化粧壁体２が外向きに撓むようなことはなく、また、木材１０相互の間隙からのコンクリートの漏出も極力防止される。
【００３４】
コンクリート３ｂが硬化すると、図１３に示すように、既設の（１段目の）各縦筋部材４５上端のナット４７に下側の雄ネジ部４６をねじ込むことにより、２段目の縦筋部材４５をそれぞれ立設する。ここで立設する縦筋部材４５は、それぞれの位置に応じた長さとする。すなわち、例えば切欠部４に対応する位置に立設する縦筋部材４５としては、他の部位に立設する縦筋部材４５よりも短いものを用いる。
【００３５】
２段目の縦筋部材４５の立設が済むと、前記図１１に示した場合と同様に木材１０（木材パネル）を積み重ねてゆくのであるが、ここでは、図１４に示すようにナット４７を貫通孔１３内に収容するために、最初に前記木材パネル２０ａを嵌装し、次いで前記木材パネル２０を嵌装し、その上に支持具３０ａ（３０ｂ）を嵌装する。
【００３６】
その後の構成は部位によって異なるが、図１４に示した部位では、前記支持具３０ａ上に、先ず前記木材１０（パネルに形成されていないもの）を２本積み重ねる。次いで、前記第１傾斜部５（図２参照）と対応するように、木材１０の端部を斜めに切断してなる木材１０ａ，１０ｂ，１０ｃを順次積み重ね、さらに、前記第２傾斜部６と対応するように木材１０を切断してなる木材１０ｄを積み重ねる。この際、木材１０ｂ・１０ｃ間と、木材１０ｃ・１０ｄ間とには、それぞれ支持具３０ａを介装する。
【００３７】
次いで、図１４のように、縦筋部材４５の上端の雄ネジ部４６にナット４３を螺合し、このナット４３を締め付けることにより各木材１０，１０ａ〜１０ｄを密着・一体化させて化粧壁体２（上半部）を構成するとともに、この化粧壁体２を前記と同様に裏面側から支持部材４８等で支持する。そして、ダム堤体１の背面及び両側面に対応する部分に従来の型枠パネル（不図示）を配置して、この化粧壁体２を含むコンクリート打設用の型枠を形成し、この型枠の内部に３段目のコンクリート３ｃを、図１４に二点鎖線で示す高さまで打設する。
【００３８】
その後、コンクリート３ｃの硬化を待って、ダム堤体１の背面及び両側面を覆っていた従来の型枠パネルを撤去する一方、化粧壁体２は撤去せずにコンクリート３の表面を覆った状態で残置する。以上により、図１〜図４に示したダム堤体１が完成したことになる。
【００３９】
なお、説明のために、図２には支持具３０ａ，３０ｂを太い実線で示しているが、実際にはこれらの支持具３０ａ，３０ｂが化粧壁体２の表面に現れているわけではない。また、図２では、構築過程において各木材パネル２０，２０ａを構成していた木材１０相互の境界を一点鎖線で示しているが、実際には木材パネル２０，２０ａとして縦筋部材４５に嵌装された木材１０と、それ以外の木材１０との間に、外観上の相違が生じているわけではない。
【００４０】
以上に説明したように、この実施形態に係るコンクリート構造物の構築方法によれば、コンクリート硬化後も残置される化粧壁体２により、周囲の自然景観と調和した良好な外観のダム堤体１（コンクリート構造物）を構築できるのはもちろんのこと、端部が傾斜した形状の構造物を構築する場合でも、その傾斜に合わせるための木材１０の加工を容易にできる等の理由により、現場での施工性を大幅に向上させることができる。したがって、従来の構築方法に比べて、工期の短縮やコストの低減が図れる。
【００４１】
また、木材１０を予め木材パネル２０，２０ａに形成し、これを立設された縦筋部材４５に嵌装して積み重ねることにより、化粧壁体２を構成する全ての木材１０を１本ずつ積み重ねてゆく場合に比べて、作業の手間を軽減し、施工性をより一層向上させることが可能となる。
【００４２】
また、前記従来技術のように木材に座掘り部を形成する必要が無く、木材そのものの加工（製材）作業を容易にできるのに加えて、座掘り部が無いために木材の断面欠損が少なく、化粧壁体２の耐久性が従来より向上するという利点も得られる。
【００４３】
また、施工後長期間が経過して、化粧壁体２を構成する木材１０が脱落してしまった場合でも、脱落後のコンクリート表面に現れる支持具３０ａ，３０ｂ等は薄くて小さいものであり、これらの表面積がコンクリート構造物の表面積に占める割合も極めて小さいものとなる。したがって、前記従来技術のように木材脱落後にコンクリート構造物の外観が悪くなることはない。
【００４４】
しかも、この実施形態ではステンレス鋼製の支持具を用いているために、赤茶けた錆でコンクリート表面が見苦しくなることがなく、また、支持具の耐久性も高いため、必要とあらば、木材脱落後にコンクリート表面に突出した支持具を利用して新しい木材を取り付け、化粧壁体を更新することも可能である。
【００４５】
また、施工中に化粧壁体２の外側に作業用の足場（キャットウォーク）を設ける必要がある場合は、前記で用いていた支持具３０ａに代えて支持具３０ｃを用いることにより、当該を支持具３０ｃの一端側が化粧壁体の裏面側に、他端側が化粧壁体の表面側に、それぞれ突出した状態を得ることができる。そして、化粧壁体の表面側に突出した支持具３０ｃ他端側の孔３６にボルト等を係止することにより、容易にキャットウォークを設けることができる。
【００４６】
なお、本発明の技術的範囲が前記の実施形態により限定されないこと言うまでもなく、例えば前記ではコンクリート構造物としてダム堤体を示したが、擁壁や海岸，河岸の堤防等、種々のコンクリート構造物に本発明方法を適用することが可能である。
【００４７】
また、前記ではコンクリート構造物の鉛直面を化粧壁体で覆ったが、コンクリート構造物の傾斜面（例えば前記ダム堤体１の背面）を化粧壁体で覆うことも、もちろん可能である。
また、前記では化粧壁体を構成する各木材を上下に揃えて積み重ねた場合を示したが、本発明では、木材を１本ずつ、もしくは適宜本数ずつ、正面から見て千鳥状となるように積み重ねてゆくことにより化粧壁体を形成することも考えられる。
【００４８】
また、前記では縦筋部材４５として丸鋼の両端に雄ネジ部４６を形成したものを示したが、縦筋部材はそれに限られず、例えば、上端のみに雄ネジ部が形成された棒鋼等からなる縦筋部材を、その下端部を基礎コンクリートに埋め込んだ状態で立設して用いることも考えられる。また、その全長にわたって周面に雄ネジが形成されたネジ棒を縦筋部材として用いることも考えられる。
【００４９】
同様に、前記では支持部材４８として一端に羽子板金物４９を有する鉄筋を示したが、支持部材は鉄筋に限られず、例えば丸鋼等の棒鋼を支持部材として用いることも考えられる。ただし、打設されるコンクリートとの付着性を良くして、コンクリート硬化後の化粧壁体２の支持状態を安定させるためには、周面に凹凸模様を有する鉄筋（異形鉄筋）を支持部材とするのが最も好ましい。
【００５０】
さらに、前記では木材パネルを構成する複数本の木材を積み重ね状態に保持する手段として紐状の結束部材を用いたが、木材パネルにおける木材の保持手段がそれに限られることはなく、例えば接着剤で木材同士を接着したり、かすがい等の金具で木材同士を連結したりして、木材を積み重ね状態に保持することも考えられる。
【００５１】
さらにまた、前記では支持具として縦筋部材を挿通可能な孔を有し、この孔により縦筋部材と係合するものを示したが、縦筋部材へ係合させる手段は孔に限られず、例えば支持具に縦筋部材と係合可能なフック部を設けるような構成も考えられる。しかし、本発明に用いる支持具には、できるだけ薄く、且つ、縦筋部材との係合状態が安定していることが望まれるため、前記のように薄板状で縦筋部材挿通孔を有している支持具が好適であるのはもちろんのことである。
【００５２】
【発明の効果】
以上説明したように、本発明に係るコンクリート構造物の構築方法によれば、周囲の景観と調和する外観のコンクリート構造物を、施工性良好に構築することができて、工期短縮やコスト低減等の種々の利点が得られるとともに、木材脱落後も外観が見苦しくならないコンクリート構造物を構築することが可能となる。
【００５３】
また、適宜本数の木材を予め木材パネルに形成しておき、この木材パネルの状態で積み重ねることにより、施工性をより一層向上させることが可能となる。
【図面の簡単な説明】
【図１】本発明の構築方法で構築されたダム堤体を示す概略正面図である。
【図２】図１の要部を拡大して示す概略正面図である。
【図３】図２のＡ−Ａ線に沿う縦断面図である。
【図４】図２のＢ−Ｂ線に沿う要部横断面図である。
【図５】本発明の一実施形態で化粧壁体を構成する木材を示す図であって、図５（ａ）は平面図、図５（ｂ）は正面図、図５（ｃ）は右側面図である。
【図６】原木からの木材の製材状態を説明する断面説明図である。
【図７】本発明の一実施形態で用いられる木材パネルを示す図であって、図７（ａ）は正面図、図７（ｂ）は右側面図、図７（ｃ）は図７（ａ）のＣ−Ｃ線に沿う縦断面図である。
【図８】本発明の一実施形態で用いられる別の木材パネルを図７（ｃ）に相当する切断面で示した縦断面図である。
【図９】本発明の一実施形態で用いられる支持具を示す平面図である。
【図１０】ダム堤体の構築工程を、図２のＡ−Ａ線に沿う縦断面で示した説明図である。
【図１１】ダム堤体の構築工程を、図２のＡ−Ａ線に沿う縦断面で示した説明図である。
【図１２】ダム堤体の構築工程を、図２のＡ−Ａ線に沿う縦断面で示した説明図である。
【図１３】ダム堤体の構築工程を、図２のＡ−Ａ線に沿う縦断面で示した説明図である。
【図１４】ダム堤体の構築工程を、図２のＡ−Ａ線に沿う縦断面で示した説明図である。
【図１５】従来技術に係る化粧型枠パネルを示す斜視図である。
【符号の説明】
１    ダム堤体（コンクリート構造物）
２    化粧壁体
３    コンクリート
１０，１０ａ〜１０ｄ      木材
２０，２０ａ              木材パネル
３０ａ，３０ｂ，３０ｃ    支持具
４３    ナット
４５    縦筋部材
４６    雄ネジ部
４７    ナット
４８    支持部材
【図１】
0003641194.tif 000002
【図２】
0003641194.tif 000003
【図３】
0003641194.tif 000004
【図４】
0003641194.tif 000005
【図５】
0003641194.tif 000006
【図６】
0003641194.tif 000007
【図７】
0003641194.tif 000008
【図８】
0003641194.tif 000009
【図９】
0003641194.tif 000010
【図１０】
0003641194.tif 000011
【図１１】
0003641194.tif 000012
【図１２】
0003641194.tif 000013
【図１３】
0003641194.tif 000014
【図１４】
0003641194.tif 000015
【図１５】
0003641194.tif 000016